(57)【要約】【目的】  本発明の目的は、排泄物の水分の吸収漏れを防止することができる排泄物処理袋を提供する。【構成】  排泄物処理袋は、排泄物を入れるための袋体１０と、この袋体１０の底面部１３ａに設けられた吸水シート２０と、袋体１０の口縁部１１に取り付けられたゴム３０と、袋体１０の口縁部１１に設けられた紐体４０とを有しており、平板状の吸水シート２０が底面部１３ａに貼付されることにより、当該底面部１３ａが平坦面になっている。【選択図】      図４
0003121374.tif 000002
【実用新案登録請求の範囲】
【請求項１】
口縁部が伸縮可能にされ且つ底面部が平坦面にされた袋体を有し、この袋体の底面部に排泄物の水分を吸収するための吸水シートが設けられていることを特徴とする排泄物処理袋。
【請求項２】
請求項１記載の排泄物処理袋において、前記袋体の底面部は、平坦な吸水シートが貼付されることにより、平坦面になっていることを特徴とする排泄物処理袋。
【請求項３】
請求項１又は２記載の排泄物処理袋において、袋体には、その口縁部を縛るための紐体が設けられていることを特徴とする排泄物処理袋。
【請求項４】
請求項１又は２記載の排泄物処理袋において、袋体の口縁部には、当該口縁部を伸縮可能とするための環状のゴムが縫い付けられていることを特徴とする排泄物処理袋。
【請求項５】
環状の便座に取り付けられる請求項１又は２記載の排泄物処理袋において、袋体は、先端部に前記口縁部を有する取付部と、この取付部の下方に連続しており且つ前記吸水シートが設けられた処理部とを有し、前記取付部は、便座の孔部に下方から挿入されることにより、当該便座の上面に沿って折り返される第１の折返部と、この第１の折返部の上方に連続しており且つ当該便座の下面に沿って折り返される第２の折返部を有することを特徴とする排泄物処理袋。
【請求項６】
請求項５記載の排泄物処理袋において、前記処理部の高さ寸法は、前記取付部の第１、第２の折返部を折り返し、便座に取り付けられた状態で、当該処理部が便器の底部に接触しない高さとなっていることを特徴とする排泄物処理袋。
【考案の詳細な説明】
【技術分野】
【０００１】
本考案は地震等の災害時等に使用される排泄物処理袋に関する。
【背景技術】
【０００２】
この種の排泄物処理袋としては、撥水性を有する袋体を有し、この袋体の内部に高分子吸収材を入れた小袋を入れたものがある( 特許文献１) 。
【０００３】
【特許文献１】実公昭６３−０１４８５５号公報
【考案の開示】
【考案が解決しようとする課題】
【０００４】
ところが、前記袋体は細長い筒状の袋であり、その内部に前記小袋を入れただけであることから、当該袋体が傾いた状態であると、排泄物の水分が前記小袋の高分子吸収材に吸収されない可能性がある。このように排泄物の水分が前記高分子吸収材に吸収されずに前記袋体に溜まったままの状態であると、使用後、排泄物の水分( 小便など) がこぼれる恐れがある。
【０００５】
本考案は、上記事情に鑑みて創案されたものであって、その目的とするところは、排泄物の水分の吸収漏れを防止することができる排泄物処理袋を提供することにある。
【課題を解決するための手段】
【０００６】
上記課題を解決するために、本考案の排泄物処理袋は、口縁部が伸縮可能にされ且つ底面部が平坦面にされた袋体を有し、この袋体の底面部に排泄物の水分を吸収するための吸水シートが設けられている。
【０００７】
このように袋体の平坦な底面部に吸水シートが設けられていると、当該吸水シートにより排泄物の水分を均一に吸収することができる。
【０００８】
前記袋体の底面部は、平坦な吸水シートが貼付されることにより、平坦面とすることができる。このため、簡単に底面部を平坦面とすることができる。
【０００９】
袋体には、その口縁部を縛るための紐体を設けることができる。この紐体で袋体の口縁部を縛れば、排泄物の固形物もこぼれるのを防止することができる。
【００１０】
袋体の口縁部には、当該口縁部を伸縮可能とするための環状のゴムが縫い付けられている。このようにゴムを縫い付けるようにすれば、圧着する場合等比べて、ゴムを外れ難くすることができる。
【００１１】
前記排泄物処理袋が環状の便座に取り付けられ、使用される場合、袋体は、先端部に前記口縁部を有する取付部と、この取付部の下方に連続しており且つ前記吸水シートが設けられた処理部とを有し、前記取付部は、便座の孔部に下方から挿入されることにより、当該便座の上面に沿って折り返される第１の折返部と、この第１の折返部の上方に連続しており且つ当該便座の下面に沿って折り返される第２の折返部を有している。
【００１２】
即ち、前記取付部を便座の孔部に下方から挿入し、当該取付部の第１の折返部を便座の上面に沿って折り返し、当該取付部の第２の折返部を当該便座の下面に沿って折り返すことにより、簡単に便座に取り付けることができる。しかも、取り付け状態で、袋体の取付部の第１の折返部が便座の上面に沿うようになっているので、使用者は、自身の尻を便座に接触させずに、小便又は大便を行うことができる。よって、災害時等の不特定多数の者が同一の便器を使用する場合に生じる使用者の不快感を低減することができる。
【００１３】
前記処理部の高さ寸法は、前記取付部の第１、第２の折返部を折り返し、便座に取り付けられた状態で、当該処理部が便器の底部に接触しない高さとなっていることが好ましい。このため、処理部の底が便器の底部に接触し、当該便器に溜まった水が付着するのを防止することができる。
【考案の効果】
【００１４】
本考案に係る排泄物処理袋による場合、袋体の平坦な底面部に設けられた吸水シートにより、排泄物の水分を均一に吸収することができる。よって、排泄物の水分の吸収漏れを防止することができ、使用後に、排泄物がこぼれ、不衛生になるのを防止することができる。
【考案を実施するための最良の形態】
【００１５】
以下、本発明の実施の形態に係る排泄物処理袋について図面を参照しながら説明する。図１は本発明の実施の形態に係る排泄物処理袋の模式的正面図、図２は同袋の模式的平面図、図３は、( ａ) が同袋の模式的Ａ−Ａ断面図、( ｂ）がα部分の模式的拡大図、図４は同袋の模式的Ｂ−Ｂ断面図、図５は同袋が取り付けられた便座を上げた状態を示す便器の概略的斜視図、図６は同袋が取り付けられた便座を下げた状態を示す便器の概略的斜視図である。
【００１６】
ここに掲げる排泄物処理袋は、洋式の便器１の便座２に取り付けられて使用されるものである。
【００１７】
便器１は、図５及び図６に示すように、小便又は大便を貯留するための貯留穴部１ａを有した周知の洋式便器である。この便器１の貯留穴部１ａの縁部には、環状の便座２が上げ下げ可能に取り付けられている。なお、ここでいう環状の便座２とは、全体として環状をなしていれば良く、一部が切り欠かれたものも含むものとする。
【００１８】
排泄物処理袋は、図１、図２、図３及び図４に示すように、袋体１０と、この袋体１０の底面部１３ａに設けられた吸水シート２０と、袋体１０の口縁部１１に取り付けられたゴム３０と、袋体１０の口縁部１１に設けられた紐体４０とを有している。以下、各部を詳しく説明する。
【００１９】
吸水シート２０は、図３及び図４に示すように、矩形状の台紙２１ａ、台紙２１ｂとの間にポリマーなどの高分子吸収材２２を挟み、熱圧着した周知のものである。
【００２０】
ゴム３０は長さ方向に伸縮する直線状のものである。このゴム３０の長さ寸法は、袋体１０の円周の長さよりも短くなっている。
【００２１】
袋体１０は、撥水性を有した円形のシートであって、その円周部( 即ち、口縁部１１) にゴム３０を当該ゴム３０が環状になるように縫い付けることにより袋体となっている( 図３及び図５参照) 。
【００２２】
この袋体１０は、当該袋体１０の上側部分であり且つ先端部に口縁部１１を有する取付部１２と、当該袋体１０の下側部分であり且つ取付部１２の第１の折返部１２ａの下方に連続する処理部１３とを有する。
【００２３】
取付部１２は、便座２の孔部に下方から挿入され、便座２に取り付けられる部位である。この取付部１２は、便座２の上面に沿って折り返される第１の折返部１２ａと、この第１の折返部１２ａの上方に連続しており且つ便座２の下面に沿って折り返される第２の折返部１２ｂと有する。
【００２４】
処理部１３は、排泄物を貯留する部位である。この処理部１３の底面部１３ａには吸水シート２０が両面テープ等で貼付されている。これにより底面部１３ａが平坦面となっている。この処理部１３の高さ寸法は、便座２に取り付けられた状態で、当該処理部１３が便器１の貯留穴部１ａの底部に接触しない高さとなっている。
【００２５】
紐体４０は、中央部が袋体１０の口縁部１１に取り付けられる。即ち、紐体４０の両端部はフリーになっている。
【００２６】
以下、このような構成の排泄物処理袋の使用方法を説明する。まず、袋体１０の取付部１２を、上げた状態の便座２の孔部に下方から挿入する。そして、取付部１２の口縁部１１を把持して幅方向に引っ張る。これにより、ゴム３０が伸びる。この状態で、取付部１２の第１の折返部１２ａを便座２の上面に沿って折り返し、当該取付部１２の第２の折返部１２ｂを便座２の下面に沿って折り返す。その後、取付部１２の口縁部１１を把持していた手を離すと、図５に示すように、ゴム３０が縮む。これのようにして袋体１０が便座２に取り付けられる。
【００２７】
その後、使用者が小便又は大便を行うと、取付部１２の口縁部１１を把持して幅方向に引っ張り、便座２の外縁部の外側から上方に引き出す。これにより、袋体１０が便座２に取り外される。そして、紐体４０により、袋体１０の口縁部１１を縛り、廃棄する。
【００２８】
このような排泄物処理袋による場合、袋体１０の底面部１３ａに吸水シート２０が貼付されることにより、当該底面部１３ａが平坦面となっている。このため、吸水シート２０により、排泄物の水分を均一に吸収することができるので、排泄物の水分の吸収漏れを防止することができ、使用後に排泄物がこぼれ、不衛生になるのを防止することができる。しかも、袋体１０の取付部１２の第１の折返部１２ａが、取り付け状態で、便座２の上面に沿うようになっている。このため、使用者は、自身の尻を便座２に接触させずに、小便又は大便を行うことができる。よって、災害時等の不特定多数の者が同一の便器を使用する場合に生じる使用者の不快感を低減することができる。
【００２９】
なお、袋体１０は、円形のシートをゴム３０を縫い付けることにより袋体となっているとしたが、これに限定されるものではなく、袋状のものであればどのようなものを用いてもかまわない。
【００３０】
また、袋体１０の底面部１３ａは、吸水シート２０が貼付されることにより平坦面にされているとしたが、底面部１３ａが平坦面となるように袋体１０を製造するようにしても良い。
【００３１】
吸水シート２０については、排泄物の水分を吸収し得るものである限り、どのようなものを用いてもかまわない。また、吸水シート２０の形状は、平坦なものであれば良く、円形、三角形等のものを用いることができる。
【００３２】
ゴム３０については、袋体１０の口縁部１１に縫い付けられているとしたが、どのように取り付けるかは任意である。
【００３３】
紐体４０については、設けるか否かは任意である。
【００３４】
なお、上述した排泄物処理袋は、便座に取り付けて使用するだけではなく、おまるや筒状の缶等に取り付けて使用することが可能である。
【図面の簡単な説明】
【００３５】
【図１】本発明の実施の形態に係る排泄物処理袋の模式的正面図である。
【図２】同袋の模式的平面図である。
【図３】( ａ) が同袋の模式的Ａ−Ａ断面図、( ｂ）がα部分の模式的拡大図である。
【図４】同袋の模式的Ｂ−Ｂ断面図である。
【図５】同袋が取り付けられた便座を上げた状態を示す便器の概略的斜視図である。
【図６】同袋が取り付けられた便座を下げた状態を示す便器の概略的斜視図である。
【符号の説明】
【００３６】
１      便器
２      便座
１０    袋体
１１    口縁部
１２    取付部
１２ａ  第１の折返部
１２ｂ  第２の折返部
１３ａ  底面部
２０    吸水シート
３０    ゴム
４０    紐体
【図１】
0003121374.tif 000003
【図２】
0003121374.tif 000004
【図３】
0003121374.tif 000005
【図４】
0003121374.tif 000006
【図５】
0003121374.tif 000007
【図６】
0003121374.tif 000008